(57)【要約】      （修正有）【課題】複数本の収納体から正確に内容物を定量注出できる多連式容器を提案。【解決手段】内容物の各収納体と、内容物を各注出口を通して外部へ排出する個別の各計量部を備えた多連式容器において、前記計量部を収納体の内部につながる各通路を閉状態に維持する弁体を有し該収納体の口部に固定保持される中栓と、該収納体の口部の外側において回転可能に抜け止め保持される注出ヘッドにて構成する。前記計量空間内に、該計量空間の底部を形成する壁体を有し、注出ヘッドの正、逆回転にしたがって該壁体を往復移動させて計量空間内の各液溜り部の容積を変動させるスライダーを設け、前記注出ヘッドに、各注出ヘッドを相互に連係、同期回転させる連動手段と、注出口に着脱自在に嵌合して該注出口を密封する蓋体とを設け、前記蓋体には、該注出口の密封姿勢で弁体を押圧して各通路を開通させるロッドを配設する。【選択図】図１
2006264768.tif 000002
【特許請求の範囲】
【請求項１】
内容物を充填、収納する少なくとも２本の収納体と、各収納体の口部にそれぞれ配置され各収納体内の内容物を個別に計量するとともに計量に係わる内容物を注出口を通して外部へ排出する計量部とを備えた多連式容器であって、
前記計量部は、収納体の内部につながる通路を閉状態に維持する弁体を有し該収納体の口部に固定保持される中栓と、この中栓を弁体とともに覆い隠してその内側に計量空間を形成し、かつ、該収納体の口部の外側において回転可能に抜け止め保持される注出ヘッドからなり、
前記計量空間内に、該計量空間の底部を形成する壁体を有し、注出ヘッドの正回転、逆回転にしたがって該壁体を往復移動させて計量空間内の液溜り部の容積を変動させるスライダーを設け、
前記注出ヘッドに、各注出ヘッドを相互に連係、同期回転させる連動手段と、注出口に着脱自在に嵌合して該注出口を密封する蓋体とを設け、
前記蓋体は、該注出口の密封姿勢で弁体を押圧して通路を開通させるロッドを有することを特徴とする多連式容器。
【請求項２】
前記スライダーは、全て同一方向に移動するか、あるいは互いに逆向きに移動するものである、請求項１記載の多連式容器。
【請求項３】
前記連動手段は、注出ヘッドの外側壁に沿って設けられ、相互に噛み合って一方の注出ヘッドの回転に同期して他方の注出ヘッドを回転させる歯車状の凹凸からなる、請求項１又は２記載の多連式容器。
【請求項４】
前記連動手段は、スライダーの周りに巻き回され該スライダーの周りに沿う回動にて各スライダーを同期回転させる無端ベルトからなる、請求項１又は２記載の多連式容器。
【請求項５】
前記蓋体は、注出ヘッドにヒンジを介して揺動可能に支持されるものである、請求項１〜４の何れかに記載の多連式容器。
【発明の詳細な説明】
【技術分野】
【０００１】
本発明は、種類の異なる内容物をそれぞれ充填した収納体を複数本備え、各収納体から内容物を所望の割合で同時に注出、混合して使用する場合や各収納体毎に個別に注出して使用する場合に適した多連式容器に関するものであり、各収納体に充填、収納されている内容物を迅速かつ正確に定量注出しようとするものである。
【背景技術】
【０００２】
種類の異なる内容物をそれぞれ充填した収納体を複数本併設して、各収納体から内容物を同時に注出、混合して使用する、いわゆる多連式の容器は、毛染め液などの反応性の液体を入れた容器として用いられており、近年では、各収納体からの択一的な注出あるいは混合比の微調整、混合注出ができるように、注出形態の変更を可能とした構造のものも提案されている（例えば、特許文献１参照）。
【特許文献１】特開２００２−５９９８１号公報
【０００３】
従来の多連式容器は、異種の液体を入れた単体容器を左右に並設してそれらを連結部材にて一体的に結縛した二連の容器体を基本構成としており、各容器に備え付けられたポンプを同時に、あるいは個別に押圧することによって所定量の内容物を注出していた。
【０００４】
ところで、この種の容器においては、化粧料や薬品等の内容物によってはポンプによる押圧操作を行うことなしに一回の動作で所定の混合割合で、あるいはそれぞれ単味で定量注出させたい場合もあるところ、このような要望に対応した多連式の容器は今のところ提案されていない。
【発明の開示】
【発明が解決しようとする課題】
【０００５】
本発明の課題は、一回の動作で所定の混合割合にして定量注出する場合や各収納体から単独で定量注出する場合等、所望の注出形態に対応し得る新規な多連式容器を提案するところにある。
【課題を解決するための手段】
【０００６】
本発明は、内容物を充填、収納する少なくとも２本の収納体と、各収納体の口部にそれぞれ配置され各収納体内の内容物を個別に計量するとともに計量に係わる内容物を注出口を通して外部へ排出する計量部とを備えた多連式容器であって、
前記計量部は、収納体の内部につながる通路を閉状態に維持する弁体を有し該収納体の口部に固定保持される中栓と、この中栓を弁体とともに覆い隠してその内側に計量空間を形成し、かつ、該収納体の口部の外側において回転可能に抜け止め保持される注出ヘッドからなり、
前記計量空間内に、該計量空間の底部を形成する壁体を有し、注出ヘッドの正回転、逆回転にしたがって該壁体を往復移動させて計量空間内の液溜り部の容積を変動させるスライダーを設け、
前記注出ヘッドに、各注出ヘッドを相互に連係、同期回転させる連動手段と、注出口に着脱自在に嵌合して該注出口を密封する蓋体とを設け、
前記蓋体は、該注出口の密封姿勢で弁体を押圧して通路を開通させるロッドを有することを特徴とする多連式容器である。
【０００７】
上記の構成になる多連式容器において、スライダーは、全て同一方向に移動するか、あるいは互いに逆向きに移動するものが適用される。
【０００８】
また、前記連動手段は、注出ヘッドの外側壁に沿って設けられ、相互に噛み合って一方の注出ヘッドの回転に同期して他方の注出ヘッドを回転させる歯車状の凹凸からなるもの、あるいはスライダーの周りに巻き回され該スライダーの周りに沿う回動にて各スライダーを同期回転させる無端ベルトからなるものが有利に適合する。
【０００９】
さらに、前記蓋体は、注出ヘッドにヒンジを介して揺動可能に支持することができる。
【発明の効果】
【００１０】
注出ヘッドを回転させると各収納体の計量室における壁体が移動して計量容積が変動するため、迅速で正確な定量注出が可能となる。
【００１１】
容器を一端倒立姿勢にしたのち、正位に戻すと、各計量室内には所定量の内容物が貯留されることとなり、蓋体を取り外して再び容器を倒立姿勢にすることで内容物のみが取り出せる。
【発明を実施するための最良の形態】
【００１２】
以下、図面を用いて本発明をより具体的に説明する。
図１（ａ）（ｂ）は本発明にしたがう多連式容器（２連式）の実施の形態を示した平面及び正面（断面で表示）であり、図２は図１に示した容器の側面図である。
【００１３】
図において１、２は異なる内容物をそれぞれ充填した収納体、３、４は各収納体１、２の口部にそれぞれ配置された計量部である。
【００１４】
この計量部３、４は、収納体１、２の内部につながる通路t1、t2を閉塞状態に維持する弁体3a、4a（スプリングs等にて弾性支持されている） を有し収納体１、２の口部にねじ係合によって固定保持される中栓3b、4bと、この中栓3b、4bを弁体3a、4aとともに覆い隠してその内側に計量空間K1、K2を形成するとともに該収納体１、2の口部の外周において回転可能に抜け止め保持される注出ヘッド3c、4cからなっており、注出ヘッド3c、4cには計量空間K1、K2内で計量された内容物を外部へ排出する注出口3c1、4c1が設けられている。
【００１５】
また、５、６は計量空間K1、K2内に配置されたスライダーである。このスライダー５、６はその先端部に計量空間K1、K2の底部を形成する壁体5a、6ａを備えていて、その内壁面には中栓3b、4bの外壁に形成されたねじ部n1、n2に係合するねじ部n3、n4が設けられている。そして、その外壁面は注出ヘッド3c、4cの内側壁に対し、対向面に形成された縦溝とリブ（又は突起）とが係合することによりそれぞれ回転不能で、かつ上下動可能に係合しており、注出ヘッド3c、4cを回転させることによりスライダー５、６が回転しながら上下に移動し、これにより、中栓3b、4bに設けられた起立壁3b1、4b1、注出ヘッド3c、4cの内壁及び壁体5a、6ａにて区画される液溜り部m1、m2の容積（内容物を収納できる容積）を変動させる。
【００１６】
また７、８は注出ヘッド3c、4cを相互に連係、同期回転させる連動手段である。この連動手段７、８は注出ヘッド3c、4cの外側壁に沿って設けられる歯車状の凹凸7a、8aにて構成することができるもので、凹凸7a、8aは相互に噛み合っており、注出ヘッド3c、4cのうちの一方を回転させることで他方の注出ヘッドを同期回転させる。
【００１７】
さらに９はヒンジｈを介して揺動可能に支持され、注出ヘッド3c、4cの注出口3c1、4c1を密封する蓋体である。この蓋体９は注出口3c1、4c1に着脱自在に嵌合する栓体9a、9bと、該注出口3c1、4c1の密封姿勢でスプリングsの反発力に抗して弁体3a、4aを押圧し通路t1、t2を開通させるロッド9c、9dを備えている。10は中栓3b、4bの下端に一体形成され収納体１、２を相互に連結する連結バンドである。
【００１８】
スライダー５、６の内壁面に設けられたねじ部n3、n4のうち例えばスライダー５のねじ部n3とこれに係合する中栓3bのねじ部n1を逆ねじにしておくと（ねじ部n4とこれに係合する中栓4bのねじ部n2を逆ねじにしておいてもよい）、注出ヘッド3c、4cを回転させたとき、スライダー５は下に向けて移動する一方、スライダー６は上に向けて移動することになり、これにより、液溜り部m1、m2において計量される内容物の混合割合（比率）が変更される（可変比率）。
【００１９】
上掲図１の容器は、液溜り部m1で100％、液溜り部m2で0％（収納体１の内容物のみを注出する場合）の計量を行う状態を示したものであり、容器を反転させたのち正位に戻すことにより液溜り部m1に収納体１の内容物のみが貯留される。
【００２０】
図３は図１に示した容器（計量部３を100％、計量部４を０％とする場合）につき、内容物の計量を行い蓋体９を開けた状態を示したものであって、この時、収納体１、２の内部につながる通路t1、t2は弁体3a、4aによって閉状態に維持されており、液溜り部m1の内容物を排出すべく容器を反転させても計量に係わる内容物のみが排出されることとなる。
【００２１】
上掲図１〜３に係る構成の容器は、収納体１を０％、収納体２を100％として計量する場合から収納体１を100％、収納体２を０％として計量する場合の広範囲で計量することができるものであって、迅速で正確な混合割合で内容物を注出することができる（混合比可変）。
【００２２】
また、上掲図１〜３に係る構成においては、スライダー５、６の内壁に設けられたねじ部n3、n4と中栓3b、4bのねじ部n1、n2との関係を、注出ヘッド3c、4cの回転に伴い同一方向に上下動する同一種類のねじ構造に変更した場合には、各スライダー５、６は同期回転しながら同一方向へ同量だけ移動することになり、前記の混合比を可変とする構造から可変定量取り出しを可能とする構造に変更することも可能になる。
【００２３】
図４（ａ）（ｂ）、図５は本発明にしたがう多連式容器の他の実施の形態を示したものである。この容器は、ねじ部n3、n4が同一種類で、注出ヘッド3c、4cを一体成形するとともに、この注出ヘッド3c、4cの内側で各スライダー５、６の周りに連動手段として無端ベルト11を巻き回した構成になるもので、注出ヘッド3c、4cの基端を一体的につなぐカバー12の窓孔12ａを通して無端ベルト11を回動させることで、各スライダー５、６が同期回転しながら同一方向へ同量だけ上下動することとなり、液溜り部m1、液溜り部m2において同等の分量だけ内容物の計量が行える（可変定量）。
【００２４】
とくに、無端ベルト11を使用してスライダー５、６を同期回転させる構成のものにおいては、その相互間での滑りを確実に防止するため、スライダー５、６と無端ベルト11とが相互に噛み合う凹凸を設けておくことができる。
【００２５】
容器の外表面には、注出ヘッド3c、4cの回転度合い、あるいは無端ベルト11の回動度合いに応じて液溜り部m1、m2にどの程度の内容物が貯留されるか表示される指標あるいは目盛を設ける。
【００２６】
なお、本実施例においても前掲図１〜３の実施例同様、スライダー５、６の内壁面に設けられたねじ部n3、n4と中栓3b、4bのねじ部n1、n2との関係を逆ねじ構造とすることが可能であり、この場合には、注出ヘッド3c、4cの回転に伴いスライダー５、６がそれぞれ上下逆方向へ移動することになり、可変定量取り出しを可能とする構造から混合比を可変とする構造に変更することが可能になる。
【００２７】
本発明の各実施例では、蓋体９をヒンジｈを介して注出ヘッド3c、4cに揺動可能に支持する構造について示したが、本発明はこれに限るものではなく、蓋体９を別途に成形し、注出ヘッド3c、4cにアンダーカット嵌合させる構造のものを採用することも可能であり、同様に本発明にしたがう容器の各構造は本発明を逸脱しない範囲において適宜設計変更が可能である。
【産業上の利用可能性】
【００２８】
迅速で、正確に内容物の定量注出を行い得る多連式容器が提供できる。
【図面の簡単な説明】
【００２９】
【図１】本発明にしたがう多連式容器の実施の形態を示した図であり、（ａ）は平面図、（ｂ）は正面を断面で示した図である。
【図２】図１に示した容器の側面図である。
【図３】図１に示した容器において蓋体を外した状態を示した図である。
【図４】本発明にしたがう多連式容器の他の実施の形態を示した図であり、（ａ）は平面図、（ｂ）は正面を断面で示した図である。
【図５】図４に示した容器の側面図である。
【符号の説明】
【００３０】
１    収納体
２    収納体
３    計量部
3a    弁体
3b    中栓
3b1   起立壁
3c    注出ヘッド
3c1   注出口
４    計量部
4a    弁体
4b    中栓
4b1   起立壁
4c    注出ヘッド
4c1   注出口  
５    スライダー
5a    壁体
６    スライダー
6a    壁体
７    連動手段
８    連動手段
９    蓋体
9a    栓体
9b    栓体
9c    ロッド
9d    ロッド
10    連結ベルト
11    無端ベルト
12    カバー
12a    窓孔
t1      通路 
t2      通路
s    スプリング
K1    計量空間
K2      計量空間
n1    ねじ部
n2    ねじ部
n3    ねじ部
n4    ねじ部
m1    液溜り部
m2    液溜り部
【図１】
2006264768.tif 000003
【図２】
2006264768.tif 000004
【図３】
2006264768.tif 000005
【図４】
2006264768.tif 000006
【図５】
2006264768.tif 000007